(57)【要約】【課題】  容易にサブディスプレイに現在時刻を表示させる。【解決手段】  筐体のヒンジ部分両端に配置した２つの電極５６をユーザが同時に触れた際に、筐体が閉じた状態であれば、サブディスプレイ４３に現在時刻を表示させる。又、通常の待ち受け状態において、サブディスプレイ４３には現在時刻が表示されているがバックライトをオフとする構成である場合には、ユーザが電極５６に触れた際にバックライトをオンさせる。【選択図】      図５
2006340171.tif 000002
【特許請求の範囲】
【請求項１】
ヒンジ部の両端に電極を配置し、前記電極の両方が接地されると、所定の動作を実行することを特徴とする折畳式携帯電話装置。
【請求項２】
筐体の両側面に電極を配置し、前記電極の両方が接地されると、所定の動作を実行することを特徴とする折畳式携帯電話装置。
【請求項３】
筐体を閉じた状態で露出するサブディスプレイを有し、ヒンジ部の両端に電極を配置し、前記電極の両方が接地された際に筐体が閉じていれば、前記サブディスプレイをオンさせることを特徴とする折畳式携帯電話装置。
【請求項４】
筐体を閉じた状態で露出するサブディスプレイを有し、ヒンジ部の両端に電極を配置し、前記電極の両方が接地された際に筐体が閉じていれば、前記サブディスプレイに現在時刻を表示させることを特徴とする折畳式携帯電話装置。
【請求項５】
筐体を閉じた状態で露出するサブディスプレイを有し、筐体の異なる２つの側面夫々に電極を配置し、前記電極の両方が接地された際に筐体が閉じていれば、前記サブディスプレイをオンさせることを特徴とする折畳式携帯電話装置。
【請求項６】
筐体を閉じた状態で露出するサブディスプレイを有し、筐体の異なる２つの側面夫々に電極を配置し、前記電極の両方が接地された際に筐体が閉じていれば、前記サブディスプレイに現在時刻を表示させることを特徴とする折畳式携帯電話装置。
【発明の詳細な説明】
【技術分野】
【０００１】
本発明は、折畳式携帯電話装置に関する。
【背景技術】
【０００２】
従来の折畳式携帯電話装置は、例えば、図７に示すように、２つの筐体が開閉する構成となっており、筐体の側面には、筐体が閉じた状態でも操作可能とする為のサイドキー１が配置されている。又、特許文献１には、このサイドキー１を押下することにより、ＬＥＤの発光色を変える技術が記載されている。
【特許文献１】特開２００２−６４５９８号公報
【発明の開示】
【発明が解決しようとする課題】
【０００３】
このように、通常の折畳式携帯電話装置にはサイドキーが配置されているが、携帯電話装置本体は小型であることが望まれる為、サイドキーも小さな形状となっている。この為、ユーザがサイドキーを操作する際には、つめを立てるかあるいは、キーを強く押下しなければキー操作できない。
【０００４】
例えば、ユーザが折畳式携帯電話装置のサブディスプレイに表示された現在時刻を見るときには、ポケットから携帯電話装置を取り出してサイドキーを押下しなければならないが、この時、サイドキーが小さい為にキーを一度押下しただけではキーが確実に押下されず、なかなかバックライトが点灯しない。この結果、ユーザはなかなか現在時刻を見ることができないといった事態が生じる。
【０００５】
尚、キー操作せずとも常時サブディスプレイに現在時刻を表示させる、或いは、バックライトを点灯させる構成も考えられるが、多くの電力が消費される為に現実的ではない。
【課題を解決するための手段】
【０００６】
請求項１に記載の発明は、ヒンジ部の両端に電極を配置し、前記電極の両方が接地されると、所定の動作を実行することを特徴とする。
請求項２に記載の発明は、筐体の両側面に電極を配置し、前記電極の両方が接地されると、所定の動作を実行することを特徴とする。
請求項３に記載の発明は、筐体を閉じた状態で露出するサブディスプレイを有し、ヒンジ部の両端に電極を配置し、前記電極の両方が接地された際に筐体が閉じていれば、前記サブディスプレイをオンさせることを特徴とする。
請求項４に記載の発明は、筐体を閉じた状態で露出するサブディスプレイを有し、ヒンジ部の両端に電極を配置し、前記電極の両方が接地された際に筐体が閉じていれば、前記サブディスプレイに現在時刻を表示させることを特徴とする。
請求項５に記載の発明は、筐体を閉じた状態で露出するサブディスプレイを有し、筐体の異なる２つの側面夫々に電極を配置し、前記電極の両方が接地された際に筐体が閉じていれば、前記サブディスプレイをオンさせることを特徴とする。
請求項６に記載の発明は、筐体を閉じた状態で露出するサブディスプレイを有し、筐体の異なる２つの側面夫々に電極を配置し、前記電極の両方が接地された際に筐体が閉じていれば、前記サブディスプレイに現在時刻を表示させることを特徴とする。
【発明の効果】
【０００７】
本発明の通信装置では、ユーザが２つの電極に触れるだけで所定の動作を実行する為、ユーザが容易に操作を行うことが可能である。又、ユーザが一方の電極のみに触れただけでは動作が実行されない為、誤動作が起きることを回避することも可能である。
【０００８】
請求項１及び２に記載の折畳式携帯電話装置は、ユーザが２つの電極に触れるだけで所定の動作を実行する為、ユーザが容易に操作を行うことが可能である。又、ユーザが一方の電極のみに触れただけでは動作が実行されない為、誤動作が起きることを回避することも可能である。
【０００９】
請求項３及び５に記載の折畳式携帯電話装置は、直ちにサブディスプレイを表示させることが可能である。
【００１０】
請求項４及び６に記載の折畳式携帯電話装置は、直ちにサブディスプレイに現在時刻を表示させることが可能である。
【発明を実施するための最良の形態】
【００１１】
次に、本発明の一実施形態に係る電子機器（携帯電話装置）について、図面を参照して説明する。
【００１２】
図１及び図２は、本発明を適用してなる実施例装置（折畳式携帯電話装置）の斜視図である。
【００１３】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１４】
第２筐体１２０のヒンジ部分の両端には、電極５６が配置されており、この２つの電極は夫々後述する制御回路３６と接続されている。
【００１５】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよい。
【００１６】
図２は、図１に示す携帯電話装置１０の背面から見た斜視図であり、第２筐体１２０にアンテナ２と着信ランプ５７が搭載されている。又、第１筐体１１０にはサブディスプレイ４３が搭載されている。
【００１７】
次に本実施例装置のブロック構成について説明する。図３は、本実施例装置のブロック図である。
【００１８】
図３に示すように、携帯電話装置は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００１９】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２０】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２１】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２３】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２４】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ３８と接続されており、ＲＯＭ３８に格納されているシステムプログラムに基づき各部を制御する。
【００２５】
また、制御回路３６は、ＲＡＭ４０と接続されている。このＲＡＭ４０には、電話帳データや、ユーザが電話に出られない時に発呼側へ送るメッセージ（例えば、只今電話に出られません）データ等が格納されている。
【００２６】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００２７】
更に、制御回路３６には、サブディスプレイ４３が接続されている。このサブディスプレイ４３には、現在時刻や着信ありの表示等が行われる。
【００２８】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００２９】
着信ランプ５７は、着信時に、着信を報知する為に点灯或いは点滅する。又、本実施例装置は先ほど説明した側面キー５８を有している。
【００３０】
電極５６は図１で説明した電極であり、制御回路３６は、この２つの電極５６が接地した（ユーザが触れた）と判定すると、所定の動作を実行する。
【００３１】
開閉検出スイッチ５９は、筐体の開閉を検出する為のスイッチである。
【００３２】
撮像部６０は、例えばＣＣＤ（Ｃｈａｒｇｅ  Ｃｏｕｐｌｅｄ  Ｄｅｖｉｃｅｓ）を備えており、携帯電話装置を用いて撮像を行う際に使用される。又、内部には光学レンズ（図示せず）も搭載しており、この光学レンズを制御することによりフォーカス（焦点）をあわせることも可能である。
【００３３】
次に本実施例装置の動作について説明する。図４は本実施例装置の動作を示すフロー図である。
【００３４】
Ｓ１ステップにおいて、制御回路３６は、２つの電極５６が接地したか（ユーザが触れたか）否かを判定し、接地したと判定するとＳ２ステップへ処理を進める。
【００３５】
Ｓ２ステップにおいて、制御回路３６は、筐体が閉状態か否かを判定する。具体的には、制御回路３６は、開閉検出スイッチ５９から筐体が閉状態であることを示す信号を検出するとＳ３ステップへ処理を進め、そうでなければＳ４ステップへ処理を進める。
【００３６】
Ｓ３ステップにおいて、制御回路３６は、サブディスプレイ４３を制御することにより、前記サブディスプレイ４３に現在時刻を表示させる。尚、携帯電話装置が待ち受け状態において時刻を前記サブディスプレイ４３に表示させてはいるがバックライトをオフとしている場合、このＳ３ステップにおいて、サブディスプレイ４３のバックライトをオンとする動作を行うだけでも良い。
【００３７】
続くＳ４ステップにおいて、制御回路３６は、電話通信部１２から通話着信ありを示す信号を検出するとＳ５ステップへ処理を進め、そうでなければ、Ｓ１ステップへ処理を戻す。
【００３８】
Ｓ５ステップでは、制御回路３６は、スピーカ３４から着信音を鳴動させる。
【００３９】
続くＳ６ステップでは、制御回路３６は、ユーザが通話キー５０を押下したと判定するとＳ７ステップへ処理を進め、そうでなければＳ８ステップへ処理を進める。
【００４０】
Ｓ７ステップでは、制御回路３６は通話処理を行なう。
【００４１】
Ｓ８ステップでは、制御回路３６は、２つの電極５６をユーザが触れたか否かを判定する。具体的には、制御回路３６は、２つの電極５６が接地された（グランドラインまで電位が落ちた）と判定すると、Ｓ９ステップへ処理を進め、そうでなければＳ４ステップへ処理を戻す。
【００４２】
尚、２つの電極５６はは同時に接地したときに制御回路３６が所定の処理を行なうようにしても良いし、一方の電極５６が接地し続いて他方の電極５６が接地したときに制御回路３６が所定の処理を行なうようにしても良い。
【００４３】
Ｓ９ステップでは、制御回路３６は、ベースバンド部１４を制御することにより、応答メッセージ（例えば、只今電話に出ることができません）を発呼側へ送信させる。
【００４４】
このように、Ｓ４〜Ｓ９ステップにおいて、着信があってもユーザが着信に応答できない場合には、ユーザが２つの電極５６に触れることにより、発呼側に対してメッセージを送信し、電話に出られないことを伝えることが可能である。
以上説明したように、本実施例装置では、例えば図５に示すようにユーザが２つの電極５６を触れると、サブディスプレイ４３には、現在時刻が表示される。このため、ユーザが現在時刻を知りたい時に、小さなサイドキーを押下するのに手間取ることがない。又、２つの電極５６が接地されたと判定されない限り、サブディスプレイ４３には現在時刻が表示されないため、誤って表示されるといったことを回避できる。
【００４５】
又、本実施例では、電極５６を触ることによりサブディスプレイ４３に現在時刻を表示する構成としたが、図６に示すようにユーザが筐体を握り、２つの電極５６を接地することにより、撮像部６０により撮像動作を行うようにしても良い。
【００４６】
尚、本実施例ではサイドキーを有する携帯電話装置を挙げたが、電極５６を配置することにより、サイドキーを設けないようにしても良い。
【００４７】
又、電極５６はヒンジ部分ではなく筐体の側面に設けても良い。
【図面の簡単な説明】
【００４８】
【図１】本実施例装置の正面図である。
【図２】本実施例装置の裏面図である。
【図３】本実施例装置のブロック図である。
【図４】本実施例装置の動作を示すフロー図である。
【図５】本実施例装置の一実施形態を示す図である。
【図６】本実施例装置の一実施形態を示す図である。
【図７】従来の携帯電話装置の分解斜視図である。
【符号の説明】
【００４９】
３６  制御回路
４３  サブディスプレイ
５６  電極
６０  撮像部
【図１】
2006340171.tif 000003
【図２】
2006340171.tif 000004
【図３】
2006340171.tif 000005
【図４】
2006340171.tif 000006
【図５】
2006340171.tif 000007
【図６】
2006340171.tif 000008
【図７】
2006340171.tif 000009